(57)【特許請求の範囲】
【請求項１】
内部に熱源機からの温水が供給される温水通路が形成され、かつ、熱伝導性の良好な金属管を蛇行状に屈曲させて複数の横管部を上下方向に形成した温水暖房装置の放熱器であって、前記横管部の途中に有る接続部分を耐熱ゴム等のクッション材で作られた緩衝リング体で覆うとともに、この緩衝リング体を介して前記横管部に固定金具を取り付けたことを特徴とする温水暖房装置の放熱器。
【請求項２】
内部に熱源機からの温水が供給される温水通路が形成され、かつ、熱伝導性の良好な金属管を蛇行状に屈曲させて複数の横管部を上下方向に形成した温水暖房装置の放熱器であって、前記横管部の途中に有る接続部分を耐熱ゴム等のクッション材で作られた緩衝リング体で覆うとともに、この緩衝リング体を介して前記横管部に固定金具を取り付け、さらに最上段の横管部の端部と最下段の横管部の端部の双方に設けられた縦管部を、これら両縦管部にロウ付けされる帯状の連結板で連結し、かつ、この連結板の両端部先端のそれぞれを前記両縦管部のそれぞれの中心位置よりも外側に張り出さないようにしたことを特徴とする温水暖房装置の放熱器。
【発明の詳細な説明】
【０００１】
【発明の属する技術分野】
本発明は、例えば、浴室に隣接した洗面所等の部屋の室壁の前方に設置され、熱源機から供給される温水を利用して暖房を行うととともに、タオル掛としても利用できる簡易構造の温水暖房装置の放熱器に関する。
【０００２】
【従来の技術】
従来、温水を利用して暖房を行う放熱器としては、パネルラジエータやファンコイル、床暖房パネル等が知られているが、近年では、図８に示すように、放熱パイプを露出した構造として、自然対流により洗面所等の部屋の暖房を行うとともに、タオル掛としても利用できる簡易構造の放熱器が普及してきている。この図８に示す従来の放熱器２０は、内部に熱源機からの温水が供給される温水通路が形成され、かつ、熱伝導性の良好な金属管にて逆Ｕ字状に屈曲形成された主温水通路管２１と、この主温水通路管２１よりも細い熱伝導性の良好な金属管にて作られるとともに、主温水通路管２１の対向する左右両部間の上下方向に複数併設された横管２２、２２とから構成されている。
【０００３】
【発明が解決しようとする課題】
ところで、上述した従来構成の放熱器２０では、複数の横管２２、２２の左右両端部を主温水通路管２１に溶接によって接続している関係上、作業工数が多くなって、製作が繁雑となるばかりでなく、溶接不良に起因する水漏れの危険箇所も多くなり、水漏れ検査に手間がかかる等、製造面及び品質管理面で不利となる欠点があった。
【０００４】
本発明は上述の実情に鑑みてなされたものであり、溶接等による接続部分を極力少なくでき、製作が容易で、かつ、水漏れ危険箇所の少ないタオル掛け可能な簡易構造の放熱器を提供できるようにすることと、外観性を高めつつ、固定金具による放熱器のキズ付きを防止できるようにすることを目的としている。
【０００５】
【課題を解決するための手段】
請求項１に記載の本発明では、内部に熱源機からの温水が供給される温水通路が形成され、かつ、熱伝導性の良好な金属管を蛇行状に屈曲させて複数の横管部を上下方向に形成した温水暖房装置の放熱器であって、前記横管部の途中に有る接続部分を耐熱ゴム等のクッション材で作られた緩衝リング体で覆うとともに、この緩衝リング体を介して前記横管部に固定金具を取り付けた構成である。
【０００６】
請求項２に記載の本発明では、内部に熱源機からの温水が供給される温水通路が形成され、かつ、熱伝導性の良好な金属管を蛇行状に屈曲させて複数の横管部を上下方向に形成した温水暖房装置の放熱器であって、前記横管部の途中に有る接続部分を耐熱ゴム等のクッション材で作られた緩衝リング体で覆うとともに、この緩衝リング体を介して前記横管部に固定金具を取り付け、さらに最上段の横管部の端部と最下段の横管部の端部の双方に設けられた縦管部を、これら両縦管部にロウ付けされる帯状の連結板で連結し、かつ、この連結板の両端部先端のそれぞれを前記両縦管部のそれぞれの中心位置よりも外側に張り出さないようにした構成である。
【０００７】
【発明の実施の形態】
以下、本発明による温水暖房装置の放熱器の一実施形態例について図１ないし図７に基づき説明する。図において、１は放熱器であり、この放熱器１は浴室に隣接する洗面所等の部屋の室壁イの前方に設置される。そして、この放熱器１には、屋外に設置した石油ボイラなどの熱源機（図示せず）から温水が循環供給され、この温水の熱を放熱器１で放熱して自然対流や輻射により洗面所等の部屋を暖房するものである。
【０００８】
前記放熱器１は、内部に温水通路が形成される銅管等の熱伝導性の良好な金属管にて作られており、この熱伝導性の良好な金属管を蛇行状に屈曲加工することにより、前方側横管部２、２と後方側横管部３、３を、上下方向に交互に複数併設してなるものであり、前記前方側横管部２、２には、図１及び図２に示すように、絞った濡れタオルＸを掛けて置くことができる。
【０００９】
また、前記前方側横管部２、２及び後方側横管部３、３のうち、最上段の前方側横管部２の左端部と、最下段の後方側横管部３の左端部には、長寸側縦管部４と、短寸側縦管部５が互いに近接状態でそれぞれ連続形成されている。
【００１０】
６は最上段の後方側横管部３に耐熱ゴム等のクッション材製の緩衝リング体７Ａ、７Ｂを介して取り付けられた上側固定金具、８は下から２番目の後方側横管部３に耐熱ゴム等のクッション材製の緩衝リング体９Ａ、９Ｂを介して取り付けられた下側固定金具であり、これら固定金具６、８を室壁イにネジ止めすることにより、前記放熱器１の上部及び中間部は室壁イの前方に安定的に固定保持される。
【００１１】
１０は前記長寸側縦管部４の下端に装着された流量調節バルブ１１付きの出口側接続具、１２は前記短寸側縦管部５の下端に装着された入口側接続具であり、前記放熱器１は出口側接続具１０及び入口側接続具１２を介して、部屋の床壁ロから突出した温水配管１３、１３に接続されている。
【００１２】
ところで、前記放熱器１の後方側横管部３、３の適所には、金属管どうしを接続してロウ付けした２箇所の接続部分Ｙ、Ｚを備えている。これら接続部分Ｙ、Ｚは、図４及び図５に示すように、一方の金属管の端部に、縮径された他方の金属管の端部が内嵌めされ、さらに、銅ロウ等のロウ材でロウ１４付けされている。そして、この接続部分Ｙ、Ｚの継目のロウ１４は、前記緩衝リング体７Ａ、９Ａで覆われている。
【００１３】
また、前記長寸側縦管部４と短寸側縦管部５は、これら両縦管部４、５に左右両端部がロウ付けされた銅板製の帯状の連結板１５で連結されている。この連結板１５の左右両端部には、両縦管部４、５の表面に当接する円弧状の当接部１５Ａ、１５Ａが形成され、これら当接部１５Ａ、１５Ａの各先端は、図６及び図７で示すように、前記両縦管部４、５のそれぞれの中心位置よりも外側に張り出さないようにしてある。
【００１４】
本実施形態例では、放熱器１は、内部に温水通路が形成される銅管等の熱伝導性の良好な金属管を蛇行状に屈曲加工することにより、タオルＸ掛け可能な前方側横管部２、２と、耐熱ゴム等のクッション材製の緩衝リング体７Ａ、７Ｂ、９Ａ、９Ｂを介して室壁イへの固定金具６、８が取り付けられる後方側横管部３、３とを、それの上下方向に複数併設してなる構成であるから、接続部分を極力少なくでき、ほとんど、曲げ加工で製作できるため、作業工数が少なくなり、製作が容易であるとともに、水漏れ危険箇所が少ないため、水漏れ検査も簡単に行える。
【００１５】
また、後方側横管部３、３の途中に有る２箇所の接続部分Ｙ、Ｚを緩衝リング体７Ａ、９Ａで覆っているので、接続部分Ｙ、Ｚの継目やロウ１４を緩衝リング体７Ａ、９Ａにより覆い隠すことができ、良好な外観を維持することが可能となり、しかも、放熱器１を室壁イに固定保持するための固定金具６、８が、耐熱ゴム等のクッション材製の緩衝リング体７Ａ、７Ｂ、９Ａ、９Ｂを介して後方側横管部３、３に取り付けられるので、固定金具６、８によって放熱器１の表面がキズ付けられる心配がない。
【００１６】
また、最上段の前方側横管部２の端部と最下段の後方側横管部３の端部の双方に設けられた縦管部４、５を、これら両縦管部４、５にロウ付けされる帯状の連結板１５で連結したので、両縦管部４、５は連結板１５によって補強され、放熱器１の強度を高めることができる。また、連結板１５の左右両端部に形成された当接部１５Ａ、１５Ａの各先端を、両縦管部４、５のそれぞれの中心位置よりも外側に張り出さないようにしたので、連結板１５の当接部１５Ａ、１５Ａを両縦管部４、５にロウ付けする際に、ロウ材が連結板１５の当接部１５Ａ、１５Ａと縦管部４、５との間の隙間に回りこみ易くなり、その結果、ロウだれが防止され、ロウ付けの仕上がりを良好となせる。
【００１７】
【発明の効果】
以上説明したように、請求項１に記載の本発明によれば、内部に熱源機からの温水が供給される温水通路が形成され、かつ、熱伝導性の良好な金属管を蛇行状に屈曲させて複数の横管部を上下方向に形成した温水暖房装置の放熱器であって、前記横管部の途中に有る接続部分を耐熱ゴム等のクッション材で作られた緩衝リング体で覆うとともに、この緩衝リング体を介して前記横管部に固定金具を取り付けた構成であるから、溶接等による接続部分を極力少なくでき、製作が容易で、かつ、水漏れ危険箇所の少ないタオル掛け可能な簡易構造の放熱器を提供できるのはもちろんのこと、接続部分を緩衝リング体により覆い隠すことができ、良好な外観を維持することが可能となり、しかも、固定金具によって放熱器の表面がキズ付けられるのを緩衝リング体により防止でき、放熱器の表面を確実に保護できる。
【００１８】
また、請求項１に記載の本発明によれば、内部に熱源機からの温水が供給される温水通路が形成され、かつ、熱伝導性の良好な金属管を蛇行状に屈曲させて複数の横管部を上下方向に形成した温水暖房装置の放熱器であって、前記横管部の途中に有る接続部分を耐熱ゴム等のクッション材で作られた緩衝リング体で覆うとともに、この緩衝リング体を介して前記横管部に固定金具を取り付け、さらに最上段の横管部の端部と最下段の横管部の端部の双方に設けられた縦管部を、これら両縦管部にロウ付けされる帯状の連結板で連結し、かつ、この連結板の両端部先端のそれぞれを前記両縦管部のそれぞれの中心位置よりも外側に張り出さないようにした構成であるから、請求項１に記載の効果に加えて、各縦管部は連結板によって補強され、放熱器の強度を高めることができ、しかも、連結板を両縦管部にロウ付けする際に、ロウ材が連結板の両端部と縦管部との間の隙間に回りこみ易くなり、その結果、ロウだれが防止され、連結板のロウ付けの仕上がりを良好となせる。
【図面の簡単な説明】
【図１】本発明による温水暖房装置の放熱器の一実施形態例を示す斜視図である。
【図２】同じく縦断面図である。
【図３】同じく正面図である。
【図４】図３のＡ部の拡大断面図である。
【図５】図３のＢ部の拡大断面図である。
【図６】連結板部分を示す要部横断面図である。
【図７】連結板部分を示す要部正面図である。
【図８】従来例を示す斜視図である。
【符号の説明】
１            放熱器
２            前方側横管部（横管部）
３            後方側横管部（横管部）
４            長寸側縦管部（縦管部）
５            短寸側縦管部（縦管部）
６            上側固定金具（固定金具）
７Ａ        緩衝リング体
７Ｂ        緩衝リング体
８            下側固定金具（固定金具）
９Ａ        緩衝リング体
９Ｂ        緩衝リング体
１５            連結板
Ｘ            タオル
【図１】
0003561581.tif 000002
【図２】
0003561581.tif 000003
【図３】
0003561581.tif 000004
【図４】
0003561581.tif 000005
【図５】
0003561581.tif 000006
【図６】
0003561581.tif 000007
【図７】
0003561581.tif 000008
【図８】
0003561581.tif 000009